【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
芳香族ビニル系単量体及びマレイミド系単量体を含有する単量体混合物を重合して得られるビニル系共重合体を含有してなる（Ａ）熱可塑性樹脂１００重量部に対して、（Ｂ）燐系難燃剤１〜３０重量部、及び、下記一般式（１）で表される（Ｃ）エポキシ樹脂１〜２０重量部を含有することを特徴とする難燃性樹脂組成物。
【化１】
2005105189.tif 000001
（上記式（１）中、Ｘは上記一般式（２）または上記一般式（３）を表し、Ｒ1〜Ｒ9は同一または相違なる水素原子、炭素数１〜８のアルキル基またはアリール基のいずれかを表す。また、ｎは平均値を表し、０より大きく１０以下の値である。）
【請求項２】
（Ｂ）燐系難燃剤が、下記一般式（４）で表されることを特徴とする請求項１に記載の難燃性樹脂組成物。
【化２】
2005105189.tif 000002
（上記式中、Ｒ10〜Ｒ17は、同一または相異なる水素原子または炭素数１〜５のアルキル基を表す。また、Ａｒ1、Ａｒ2、Ａｒ3、Ａｒ4は同一または相異なるフェニル基あるいはハロゲン原子を含有しない有機残基で置換されたフェニル基を表す。また、Ｚは直接結合、Ｏ、Ｓ、ＳＯ2、Ｃ（ＣＨ3）2、ＣＨ2、ＣＨＰｈを表し、Ｐｈはフェニル基を表す。また、ｎは０以上の整数であり、異なるｎの混合物でもよい。また、ｋ、ｍはそれぞれ０以上２以下の整数であり、かつｋ＋ｍは０以上２以下の整数である。）
【請求項３】
（Ａ）熱可塑性樹脂が、（Ａ−１）ゴム質重合体に芳香族ビニル系単量体を含む単量体あるいは単量体混合物をグラフト重合してなるグラフト（共）重合体と、（Ａ−２）芳香族ビニル系単量体及びマレイミド系単量体を含む単量体混合物を重合して得られるビニル系共重合体を含むゴム強化スチレン系樹脂を含有してなる請求項１または２に記載の難燃性樹脂組成物。
【請求項４】
（Ａ）熱可塑性樹脂１００重量部に対して、（Ｄ）フッ素系樹脂および／またはシリコーン系化合物０．０１〜１０重量部をさらに配合してなる請求項１〜３のいずれかに記載の難燃性樹脂組成物。
【請求項５】
請求項１〜４のいずれかに記載の難燃性樹脂組成物からなる成形品。
【手続補正２】
【補正対象書類名】明細書
【補正対象項目名】００１１
【補正方法】変更
【補正の内容】
【００１１】
すなわち本発明は、芳香族ビニル系単量体及びマレイミド系単量体を含有する単量体混合物を重合して得られるビニル系共重合体を含有してなる（Ａ）熱可塑性樹脂１００重量部に対して、（Ｂ）燐系難燃剤１〜３０重量部、及び、下下記一般式（１）で表される（Ｃ）エポキシ樹脂１〜２０重量部を含有する難燃性樹脂組成物である。
【手続補正３】
【補正対象書類名】明細書
【補正対象項目名】００１３
【補正方法】変更
【補正の内容】
【００１３】
（上記式（１）中、Ｘは上記一般式（２）または上記一般式（３）を表し、Ｒ1〜Ｒ9は同一または相違なる水素原子、炭素数１〜８のアルキル基またはアリール基のいずれかを表す。また、ｎは平均値を表し、０より大きく１０以下の値である。）
【手続補正４】
【補正対象書類名】明細書
【補正対象項目名】００１６
【補正方法】変更
【補正の内容】
【００１６】
本発明で用いられる（Ａ）熱可塑性樹脂は、芳香族ビニル系単量体及びマレイミド系単量体を含有する単量体混合物を重合して得られるビニル系共重合を含有してなるものである。
本発明で使用される（Ａ）熱可塑性樹脂に含まれる樹脂の具体例としては、例えば、スチレン系樹脂、ポリエステル樹脂、ポリカーボネート樹脂、ポリアミド樹脂、ポリフェニレンオキシド樹脂、変性ポリフェニレンオキシド樹脂、ポリフェニレンスルフィド樹脂、ポリオキシメチレン樹脂、ポリプロピレン樹脂、ポリエチレンなどのポリオレフィン系樹脂、エチレン／プロピレン樹脂、エチレン／１−ブテン樹脂、エチレン／プロピレン／非共役ジエン樹脂、エチレン／アクリル酸エチル樹脂、エチレン／メタクリル酸グリシジル樹脂体、エチレン／酢酸ビニル／メタクリル酸グリシジル樹脂、エチレン／酢酸ビニル／メタクリル酸グリシジル樹脂、エチレン／プロピレン−ｇ−無水マレイン酸樹脂、ポリエステルポリエーテルエラストマー、ポリエステルポリエステルエラストマー等のエラストマー、あるいはこれら熱可塑性樹脂の２種以上の混合物が挙げられるが、スチレン系樹脂、変性ポリフェニレンオキシド樹脂、ポリエステル樹脂、ポリアミド樹脂、ポリカーボネート樹脂、ポリフェニレンスルフィド樹脂から選ばれる１種または２種以上の混合物が好ましく、さらに好ましくは、スチレン系樹脂、ポリエステル樹脂、ポリカーボネート樹脂から選ばれる１種または２種以上の混合物である。
【手続補正５】
【補正対象書類名】明細書
【補正対象項目名】００２１
【補正方法】変更
【補正の内容】
【００２１】
具体的には、ゴム強化スチレン系樹脂は、（Ａ−１）ゴム質重合体に芳香族ビニル系単量体または他の単量体との混合物をグラフト重合してなるグラフト（共）重合体と、（Ａ−２）芳香族ビニル単量体及びマレイミド系単量体を含む混合物を重合して得られるビニル系共重合体を含むものである。
【手続補正６】
【補正対象書類名】明細書
【補正対象項目名】００３１
【補正方法】変更
【補正の内容】
【００３１】
本発明における（Ａ−２）ビニル系共重合体に用いられる芳香族ビニル系単量体としてはスチレン、α−メチルスチレン、ビニルトルエン、ｏ−エチルスチレン、ｐ−ｔ−ブチルスチレンなどの芳香族ビニル系単量体が必須であり、特にスチレンが好ましい。
【手続補正７】
【補正対象書類名】明細書
【補正対象項目名】００３４
【補正方法】変更
【補正の内容】
【００３４】
（Ａ−２）ビニル系共重合体に用いられる単量体混合物中の、芳香族ビニル系単量体は１０〜１００重量％が好ましく、さらに好ましくは２０〜８０重量％である。また、マレイミド系単量体は５〜５０重量％が好ましく、より好ましくは１５〜５０重量％である。シアン化ビニル系単量体を混合する場合には、５０重量％以下が好ましく、さらに好ましくは４０重量％以下である。また、（メタ）アクリル酸エステル系単量体を混合する場合には、８０重量％以下であり、さらには７５重量％以下で混合することが好ましい。また、これらと共重合可能な他のビニル系単量体を混合する場合には、６０重量％以下が好ましく、さらに５０重量％以下が好ましい。
【手続補正８】
【補正対象書類名】明細書
【補正対象項目名】００３５
【補正方法】変更
【補正の内容】
【００３５】
本発明における（Ａ−２）ビニル系共重合体のジメチルホルムアミド溶媒中、３０℃の温度で測定した極限粘度は特に制限はないが、０．２〜１．０ｄｌ／ｇのものが衝撃強度と成形加工性のバランスの観点から好ましく用いられ、より好ましくは０．３〜０．７ｄｌ／ｇのものである。
【手続補正９】
【補正対象書類名】明細書
【補正対象項目名】００３６
【補正方法】変更
【補正の内容】
【００３６】
本発明で用いられる（Ａ−１）グラフト（共）重合体と（Ａ−２）ビニル系共重合体との混合比は、（Ａ−１）グラフト（共）重合体は好ましくは２０〜５０重量部、（Ａ−２）ビニル系共重合体は好ましくは５０〜８０重量部である。
【手続補正１０】
【補正対象書類名】明細書
【補正対象項目名】０１０３
【補正方法】変更
【補正の内容】
【０１０３】
［実施例１〜１０、比較例１〜１１］
参考例で調製した中から選択した（Ａ）熱可塑性樹脂、（Ｂ）燐系難燃剤、（Ｃ）エポキシ樹脂およびその他の必要な添加剤を使用し、表１に示した配合比で混合し、ベント付き３０ｍｍφ２軸押出機（池貝鉄工社製、ＰＣＭ−３０）を使用し、２５０℃で溶融混練、押出しを行うことによって、ペレット状のポリマを製造した。次いで射出成形機（住友重機社製、プロマット４０／２５）により、射出圧を下限圧＋１ＭＰａでそれぞれの試験片を成形し、次の条件で物性を測定した。        
【手続補正１１】
【補正対象書類名】明細書
【補正対象項目名】０１０８
【補正方法】変更
【補正の内容】
【０１０８】
【表１】
2005105189.tif 000003
【手続補正１２】
【補正対象書類名】明細書
【補正対象項目名】０１０９
【補正方法】変更
【補正の内容】
【０１０９】
【表２】
2005105189.tif 000004
【手続補正１３】
【補正対象書類名】明細書
【補正対象項目名】０１１０
【補正方法】変更
【補正の内容】
【０１１０】
実施例１〜１０と比較例１〜１１の測定結果より、以下のことが明らかである。      
【手続補正１４】
【補正対象書類名】明細書
【補正対象項目名】０１１１
【補正方法】変更
【補正の内容】
【０１１１】
実施例１〜３と比較例１〜２との結果の対比から、ゴム強化スチレン系樹脂と（Ｂ）燐系難燃剤とに対して、（Ｃ）特定のエポキシ樹脂の１種または２種を添加することにより、高度な難燃性の樹脂組成物が得られ、さらに耐衝撃性、耐熱性にも優れることが分かる。
【手続補正１５】
【補正対象書類名】明細書
【補正対象項目名】０１１２
【補正方法】変更
【補正の内容】
【０１１２】
実施例４〜６の結果から、本発明の樹脂組成物に少量のフッ素系樹脂および／またはシリコーン系化合物を添加することにより、燃焼時間が短縮されるばかりか、耐衝撃性を向上できることが分かる。
【手続補正１６】
【補正対象書類名】明細書
【補正対象項目名】０１１３
【補正方法】変更
【補正の内容】
【０１１３】
実施例７〜９と比較例３〜５との結果の対比から、ゴム強化スチレン系樹脂にＰＥＴ樹脂、ＰＥＴ／ＰＣＴ樹脂又はＰＢＴ樹脂を混合したアロイでは（Ｂ）燐系難燃剤、（Ｃ）特定のエポキシ樹脂を添加することにより、ゴム強化スチレン系樹脂単独のものより高度な難燃性の樹脂組成物が得られることが分かる。なお、上記アロイの系でも（Ｃ）特定のエポキシ樹脂を添加しないと、難燃性が得られないことが分かる。      
【手続補正１７】
【補正対象書類名】明細書
【補正対象項目名】０１１４
【補正方法】変更
【補正の内容】
【０１１４】
実施例１０と比較例６との結果の対比から、ゴム強化スチレン系樹脂とＰＣ樹脂とのアロイでは、（Ｂ）燐系難燃剤、（Ｃ）特定のエポキシ樹脂の添加により、耐熱性に優れる樹脂組成物が得られることが分かる。上記アロイの系でも（Ｃ）特定のエポキシ樹脂を添加しないと、高度な難燃性が得られない。